(57)【特許請求の範囲】
【請求項１】
商品ローカル情報提供する方法であって、コンピュータにより実行されるステップが、
各商品を特定するための商品原簿を記録した商品原簿データベースを保持するステップと、
前記商品原簿を販売者の端末に提供し、前記販売者が販売する商品に対して前記商品原簿から選択した商品の選択情報を、前記販売者の端末から受信するステップと、
前記販売者によって選択された前記商品と前記販売者毎に構成される前記販売者が販売する商品のオフライン販売店情報を含む文章とを関連付けるステップと、
検索クエリをユーザの端末から受信するステップと、
前記検索クエリと関連した前記商品と関連付けられる前記文章を、前記ユーザの端末に検索結果として提供するステップと、を含み、
前記販売者によって選択された前記商品と前記販売者毎に構成される前記販売者が販売する商品のオフライン販売店情報を含む文章とを関連付ける前記ステップは、
前記販売者が販売する商品と前記商品原簿の商品との間の同じ商品に対する異なる記載形式を相互に互換可能に関連付け、
前記商品原簿に含まれる商品のうち、前記販売者が販売する商品の記載形式と相互に互換可能な商品を前記文章と関連付けることを特徴とする商品ローカル情報提供方法。
【請求項２】
前記商品原簿を販売者の端末に提供し、前記販売者が販売する商品に対して前記商品原簿から選択した商品の選択情報を前記販売者の端末から受信する前記ステップは、
所定の選択基準に応じて選択した前記商品原簿の商品の選択情報を前記販売者の端末に提供し、前記販売者によって補正された前記選択情報を前記販売者の端末から受信するステップを含み、
前記販売者によって選択された前記商品と前記販売者毎に構成される前記販売者が販売する商品のオフライン販売店情報を含む文章とを関連付ける前記ステップは、
前記販売者によって補正された前記選択情報に該当する商品と前記文章とを関連付けることを特徴とする請求項１に記載の商品ローカル情報提供方法。
【請求項３】
前記オフライン販売店情報は、前記販売者が販売する商品のカテゴリ、販売店名、連絡先、住所、電子メールアドレス、営業時間、オンラインサイトのＵＲＬのうちの少なくとも１つを含むことを特徴とする請求項１又は２に記載の商品ローカル情報提供方法。
【請求項４】
前記販売者によって選択された前記商品と前記販売者毎に構成される前記販売者が販売する商品のオフライン販売店情報を含む文章とを関連付ける前記ステップは、
前記商品原簿に含まれる商品のうち、前記販売者がオンラインサイトで商品を販売する場合に、前記オンラインサイトで販売する商品の記載形式と相互に互換可能な商品を前記文章と関連付けることを特徴とする請求項１から３のいずれか１つに記載の商品ローカル情報提供方法。
【請求項５】
前記販売者によって選択された前記商品と前記販売者毎に構成される前記販売者が販売する商品の販売店情報を含む文章とを関連付ける前記ステップは、
前記販売者によって選択された前記商品が少なくとも１つである場合に、前記選択された商品それぞれを前記文章に関連付けることを特徴とする請求項１から４のいずれか１つに記載の商品ローカル情報提供方法。
【請求項６】
前記販売者によって選択された前記商品と前記販売者毎に構成される前記販売者が販売する商品のオフライン販売店情報を含む文章とを関連付ける前記ステップは、
異なる販売者それぞれによって選択された商品が同じである場合に、前記選択された商品を前記異なる販売者それぞれの前記各文章に関連付けることを特徴とする請求項１から５のいずれか１つに記載の商品ローカル情報提供方法。
【請求項７】
前記検索クエリと関連した前記商品と関連付けられる前記文章を前記ユーザの端末に検索結果として提供する前記ステップは、
前記販売者が前記検索クエリと関連した前記商品をオンラインサイトで販売する場合に、前記オンラインサイトのＵＲＬにフォワーディングした前記文章を前記ユーザの端末に検索結果として提供することを特徴とする請求項１から６のいずれか１つに記載の商品ローカル情報提供方法。
【請求項８】
請求項１〜請求項７のうちのいずれか一項に記載の商品ローカル情報提供方法をコンピュータに実行させるためのプログラムを記録したコンピュータ読み取り可能な記録媒体。
【請求項９】
各商品を特定するための商品原簿を記録して保持する商品原簿データベースと、
前記商品原簿を販売者の端末に提供し、前記販売者が販売する商品に対して前記商品原簿から選択した商品の選択情報を、前記販売者の端末から受信する商品選択部と、
前記販売者によって選択された前記商品と前記販売者毎に構成される前記販売者が販売する商品のオフライン販売店情報を含む文章とを関連付ける文章マッチング部と、
検索クエリをユーザの端末から受信する検索クエリ受信部と、
前記検索クエリと関連した前記商品と関連付けられる前記文章を、前記ユーザの端末に検索結果として提供する検索結果提供部と、を含み、
前記販売者が販売する商品と前記商品原簿の商品との間の同じ商品に対する異なる記載形式を相互に互換可能に関連付ける商品互換部をさらに含み、
前記文章マッチング部は、
前記商品原簿に含まれる商品のうち、前記販売者が販売する商品の記載形式と相互に互換可能な商品を前記文章と関連付けることを特徴とする商品ローカル情報提供システム。
【請求項１０】
前記商品選択部は、
所定の選択基準に応じて選択した前記商品原簿の商品の選択情報を前記販売者の端末に提供し、前記販売者によって補正された前記選択情報を前記販売者の端末から受信し、
前記文章マッチング部は、
前記販売者によって補正された前記選択情報に該当する商品と前記文章とを関連付けることを特徴とする請求項９に記載の商品ローカル情報提供システム。
【請求項１１】
前記オフライン販売店情報は、前記販売者が販売する商品のカテゴリ、販売店名、連絡先、住所、電子メールアドレス、営業時間、オンラインサイトのＵＲＬのうちの少なくとも１つを含むことを特徴とする請求項９又は１０に記載の商品ローカル情報提供システム。
【請求項１２】
前記文章マッチング部は、
前記商品原簿に含まれる商品のうち、前記販売者がオンラインサイトで商品を販売する場合に、前記オンラインサイトで販売する商品の記載形式と相互に互換可能な商品を前記文章と関連付けることを特徴とする請求項９から１１のいずれか１つに記載の商品ローカル情報提供システム。
【請求項１３】
前記文章マッチング部は、
前記販売者によって選択された前記商品が少なくとも１つである場合に、前記選択された商品それぞれを前記文章と関連付けることを特徴とする請求項９から１２のいずれか１つに記載の商品ローカル情報提供システム。
【請求項１４】
前記文章マッチング部は、
異なる販売者それぞれによって選択された商品が同じである場合に、前記選択された商品を前記異なる販売者それぞれの前記各文章と関連付けることを特徴とする請求項９から１３のいずれか１つに記載の商品ローカル情報提供システム。
【請求項１５】
前記検索結果提供部は、
前記販売者が前記検索クエリと関連した前記商品をオンラインサイトで販売する場合に、前記オンラインサイトのＵＲＬにフォワーディングした前記文章を前記ユーザの端末に検索結果として提供することを特徴とする請求項９から１４のいずれか１つに記載の商品ローカル情報提供システム。
【発明の詳細な説明】
【技術分野】
【０００１】
本発明は、商品ローカル情報提供方法およびシステムに関し、より詳細には、オフライン事業者が販売する商品を商品原簿と連携し、ユーザの検索クエリに相応して該当商品にマッチングした販売者情報を含む文章を提供する商品ローカル情報提供方法およびシステムに関する。
【背景技術】
【０００２】
従来、オフラインで商品を販売する販売者の場合には、オフライン上で広告を製作して配布したり、オンラインサイトを製作して商品を広告したりすることが一般的であった。しかしながら、このような場合には、多くの費用が消費され、商品販売に大きな困難があった。
【０００３】
また、オフライン上で商品を販売する場合には、オンライン上のユーザがオフライン商品販売店に対する情報を取得することが難しいという点があった。特に、商品販売店を検索するために商品に関する検索クエリを入力する場合には、これに対応する検索結果がオフライン商品販売店の情報を提供することができなかった。
【０００４】
すなわち、オフライン上で商品を販売する者とオンライン上のユーザとの間に商品基盤の連携インターフェースが構築されておらず、オフライン販売者の要求を満たすことができなかった。これにより、商品販売店の情報と商品とを連携してオフライン上の要求に符合するサービスおよび広告方法が切に求められている。
【０００５】
また、従来には、販売者がオンラインまたはオフラインで販売する商品と、検索エンジンに保存された商品原簿または商品リストとの間で互換性が低下するという問題があった。より具体的には、商品リストまたは商品原簿は特定の商品に対して該当業界で広く用いられている表現を適用する反面、販売者は自分が販売する状況や条件に応じて、同じ商品に対して一般的な表現とは異なる表現をする場合があった。結局、同じ商品に対して販売者が表現する方式と商品原簿などに記載された表現方式とが異なり、両者間の互換性に問題が発生するという問題点があった。
【０００６】
したがって、ユーザが該当商品に対して検索クエリを入力しても、販売者が販売する商品表現と商品原簿などに表現された商品表現との互換性の問題により、該当商品を販売する販売店をすべて検索することが困難であるという問題点があった。言い替えれば、該当商品を販売する販売者の立場から見れば、広告効果が低下して商品販売量が減少する原因となる恐れがあった。
【発明の開示】
【発明が解決しようとする課題】
【０００７】
本発明は、前記のような問題点を解決するために案出されたものであって、販売者が販売する商品とユーザに提供する文章とをマッチングして、オフライン中心の販売者がオンライン広告進出を容易に行えるようにする商品ローカル情報提供方法およびシステムを提供することを目的とする。
【０００８】
また、本発明は、オフラインとオンラインで同時に商品を販売する販売者が商品販売店に対する情報をユーザにより多様な形式で提供し、販売店にユーザをより効果的に誘引することができる商品ローカル情報提供方法およびシステムを提供することを他の目的とする。
【０００９】
また、本発明は、商品と文章とをマッチングする方式を多様化してユーザにより多くの商品ローカル情報を提供し、正確な検索結果を提供する商品ローカル情報提供方法およびシステムを提供することを他の目的とする。
【００１０】
また、本発明は、ユーザに提供する文章に商品販売店の情報を含めて製品紹介の信頼度を高め、定型的かつ互換可能な状態で商品を管理することができる商品ローカル情報提供方法およびシステムを提供することを他の目的とする。
【００１１】
さらに、本発明は、販売者がオフラインだけではなくオンライン上でも商品を販売する場合に、ＵＲＬを介して検索結果からすぐにオンラインサイトにフォワーディングすることができる商品ローカル情報提供方法およびシステムを提供することをさらに他の目的とする。
【課題を解決するための手段】
【００１２】
前記の目的を達成するために、本発明の一実施形態に係る商品ローカル情報提供方法は、各商品を特定するための商品原簿を商品別に記録した商品原簿データベースを保持するステップと、前記商品原簿を販売者に提供し、前記商品原簿から前記販売者が選択した商品の選択情報を前記販売者から受信するステップと、前記販売者によって選択された前記商品と前記販売者に提供される文章とをマッチングするステップとを含む。
【００１３】
本発明の一側面によれば、所定の選択基準に応じて選択した商品の選択情報を前記販売者に提供し、前記販売者によって補正された前記選択情報を前記販売者から受信するステップをさらに含み、前記販売者によって選択された前記商品と前記販売者に提供された文章とをマッチングする前記ステップは、前記販売者によって補正された前記選択情報に該当する商品と前記文章とをマッチングすることを特徴とする。
【００１４】
本発明の一側面によれば、検索クエリをユーザから受信するステップと、前記検索クエリと関連した商品とマッチングした文章を前記ユーザに検索結果として提供するステップとをさらに含む。
【００１５】
本発明の一側面によれば、前記検索クエリと関連した商品とマッチングした文章を前記ユーザに検索結果として提供する前記ステップは、前記販売者が前記検索クエリと関連した前記商品をオンラインサイトで販売する場合に、前記オンラインサイトのＵＲＬを用いてフォワーディング（ｆｏｒｗａｒｄｉｎｇ）した文章を前記ユーザに検索結果として提供することを特徴とする。
【００１６】
本発明の一実施形態に係る商品ローカル情報提供システムは、各商品を特定するための商品原簿を商品別に記録して保持する商品原簿データベースと、前記商品原簿を販売者に提供し、前記商品原簿から前記販売者が選択した商品の選択情報を前記販売者から受信する商品選択部と、前記販売者によって選択された前記商品と前記販売者に提供される文章とをマッチングする文章マッチング部とを備える。
【発明の効果】
【００１７】
本発明によれば、販売者が販売する商品とユーザに提供する文章とをマッチングして、オフライン中心の販売者がオンライン広告進出を容易に行うことができる商品ローカル情報提供方法およびシステムが提供される。
【００１８】
また、本発明によれば、オフラインとオンラインで同時に商品を販売する販売者が商品販売店に対する情報をユーザにより多様な形式で提供し、販売店にユーザをより効果的に誘引することができる商品ローカル情報提供方法およびシステムが提供される。
【００１９】
また、本発明によれば、商品と文章とをマッチングする方式を多様化してユーザにより多くの商品ローカル情報を提供し、正確な検索結果を提供する商品ローカル情報提供方法およびシステムが提供される。
【００２０】
また、本発明によれば、ユーザに提供する文章に商品販売店の情報を含めて製品紹介の信頼度を高め、定型的かつ互換可能な状態で商品を管理することができる商品ローカル情報提供方法およびシステムが提供される。
【００２１】
さらに、本発明によれば、販売者がオフラインだけではなくオンライン上でも商品を販売する場合に、ＵＲＬを介して検索結果からすぐにオンラインサイトにフォワーディングすることができる商品ローカル情報提供方法およびシステムが提供される。
【発明を実施するための最良の形態】
【００２２】
以下、添付の図面を参照しながら、本発明の実施形態について詳しく説明する。
【００２３】
本発明の一実施形態に係る商品ローカル情報提供方法は、商品ローカル情報提供システムによって実行されるようになる。
【００２４】
図１は、本発明の一実施形態において、商品ローカル情報を提供する構造図を示す図である。
【００２５】
本発明は、商品１０３と文章１０４とをマッチングし、商品１０３の販売店情報のようなローカル情報を含む文章１０４をユーザ１０５に提供することを特徴とする。販売者１０２は、商品ローカル情報提供システム１０１から商品原簿の提供を受ける。商品ローカル情報提供システム１０１は、不図示のＣＰＵと、不図示のメモリと、を含むことができる。ここで、不図示のＣＰＵは、商品ローカル情報提供システム１０１における各種処理を行う役割を有しており、また上記メモリに格納されているプログラムを実行することにより種々の機能を実現する役割も有している。当該メモリは、例えばＲＯＭ、ＲＡＭ、ＨＤＤ等から構成されており、商品ローカル情報提供システム１０１において利用される種々の情報やプログラムを格納する役割を有している。販売者１０２およびユーザ１０５が利用する端末は、操作入力を受け付けるための不図示の操作入力部と、操作者に対して種々の情報を画面表示によって提示する不図示の表示部と、を備えている。ここでの操作入力部は、例えば、キーボード、マウス、タッチパネルディスプレイ等から構成することができ、表示部は、液晶ディスプレイ、プラズマディスプレイ、ＣＲＴディスプレイ、ＥＬディスプレイ等から構成することができる。もちろん、タッチパネルディスプレイを採用することにより、当該タッチパネルディスプレイによって操作入力部および表示部の機能を実現させるようにすることもできる。
【００２６】
ここで、販売者１０２は、不図示の操作入力部を介して、商品原簿に含まれる商品１０３から自分が販売している商品１０３を選択することができる。このとき、選択される商品１０３の数は、少なくとも１つであると言える。販売者１０２は、商品１０３に対する選択情報を再び商品ローカル情報提供システム１０１に送り返すことができる。
【００２７】
商品ローカル情報提供システム１０１は、商品１０３と販売者１０２ごとに提供される文章１０４とをマッチングすることができる。マッチングされた文章１０４は、販売者１０２が販売する商品１０３の販売店情報を含むことができる。なお、ここでのマッチングの対象となる商品１０３と文章１０４に関する情報や、上記マッチングの結果に関する情報は、例えば上述の不図示のメモリ、後述の商品原簿データベース３０４、後述の商品原簿データベース７０４等に格納することができる。
【００２８】
このとき、商品ローカル情報提供システム１０１は、ユーザ１０５から検索クエリを受信することができる。ここで、検索クエリが、販売者１０２が販売する商品１０３と関連すれば、商品ローカル情報提供システム１０１は、商品１０３とマッチングした文章１０４を再びユーザ１０５に提供することができる。
【００２９】
ここで、販売者１０２がオンラインサイトを介して商品１０３を販売する場合に、商品１０３とマッチングした文章１０４を提供するときには、ＵＲＬを用いてフォワーディングしたオンラインサイトも共に提供することができる。
【００３０】
このような過程を通じてオフライン上で商品１０３を販売する販売者１０２は、文章１０４と商品１０３との関連関係を保持することができる。結局、オンラインサイトを別途で生成して運営しなくても、オンライン上で商品１０３をサービスしたり広告したりすることができる。また、オンラインサイトを運営して商品を販売する者も、ＵＲＬを文章１０４に含めてユーザ１０５に提供することができる。また、ＵＲＬを用いてフォワーディングした自分のオンラインサイトも共に提供して、商品サービスおよび広告の効果を極大化することができる。
【００３１】
図２は、本発明の一実施形態において、商品ローカル情報を提供する方法を示すフローチャートである。
【００３２】
ステップＳ２０１は、各商品を特定するための商品原簿を商品別に記録した商品原簿データベースを保持する。一例として、商品原簿で商品を特定するために商品識別子を用いることができる。商品のモデルそれぞれに対しても、商品原簿が商品原簿データベースに記録されるようになる。
【００３３】
また、多数の商品が同じモデルであったとしても、重要な属性が異なる場合には他の識別子が設定され、商品原簿上では他の商品として記録されるようになる。商品原簿の形態は上述した例に限定されず、システムの管理者によって異なるように設定することができる。商品原簿の具体的な例については、図４を参照しながらより詳細に説明する。
【００３４】
ステップＳ２０２は、商品原簿を販売者に提供する。これは、販売者が商品原簿から自分が販売している商品を選択できるようにするためであると言える。一例として、商品原簿は、上述の不図示の表示部に画面表示されるユーザインターフェースを介して販売者に提供されるようになる。
【００３５】
このとき、ユーザインターフェースは、商品原簿から販売者が商品を容易に検索できるように多様な形態でなされるようになる。キーワード検索またはカテゴリ検索を用いて、販売者が商品原簿からより容易に商品を選択することができる。これらキーワード検索またはカテゴリ検索を行う際の操作入力は、上述の不図示の操作入力部を介して行われる。
【００３６】
また、販売者がカテゴリ別に適切な検索クエリを用いて検索することができる。例えば、販売者がデジタルカメラに関する商品を販売する場合には、検索クエリの入力が可能なウェブページ形態のユーザインターフェースを用いて、「デジタルカメラ」に対する検索クエリで検索することができる。
【００３７】
また、販売者が販売しようとする商品の固有の属性を用いてより容易に検索することもできる。例えば、「ノート型パソコン」に対する商品を選択するために、販売者がノート型パソコンのＬＣＤサイズ、ＣＰＵ、メモリ、ハードディスクサイズなどのノート型パンコンの属性を検索クエリに入力して、より迅速に所望するノート型パソコンを検索することができる。
【００３８】
ステップＳ２０３は、販売者が商品原簿から選択した商品の選択情報を販売者から受信する。すなわち、商品の選択情報は、販売者が商品原簿からどのような商品を選択したのかを知らせる情報に該当すると言える。
【００３９】
商品の選択情報には、販売者が選択した商品名または商品識別子などを含むことができる。販売者が選択した商品の数は、１つ以上であると言える。また、同じ商品であったとしても、それぞれ異なる販売者によって選択されることもできる。
【００４０】
本発明の一例として、システム内部の所定の選択基準に応じて、ロボットやアルゴリズムなどによって選択した商品の選択情報を販売者に提供することができる。また、販売者は、自分が販売している商品に商品の選択情報を補正することができる。なお、上記所定の選択基準や、商品の選択情報（補正されたものも含む）は、たとえば上述の不図示のメモリ、後述の商品原簿データベース３０４、後述の商品原簿データベース７０４等に格納させておくことができる。
【００４１】
このような場合に、商品原簿から商品が内部的に自動選択されるようになり、より迅速にマッチング過程が進められるようになる。しかしながら、販売者が販売する商品と自動選択された商品との間に正確度が低下するという短所がある。このため、販売者が自動選択された商品を販売者自身に適合するように補正できる機会を付与することで、このような短所を補完できるようになる。
【００４２】
ステップＳ２０４は、販売者によって選択された商品と販売者に提供される文章とをマッチングする。このとき、文章は、販売者によって選択された商品の販売店情報を含むことができる。
【００４３】
ここで、文章は、インターネット上で提供される一般的なページに該当すると言える。特に、インターネットショッピング仲介サイトにおけるユーザの検索によって露出されるページに該当すると言える。しかしながら、上述したものに限定されるのではなく、他の領域や形態に変形することもできる。
【００４４】
文章に販売店情報を含ませることで、販売者が商品をオフライン上でのみ販売する場合には、製品紹介の信頼を高めることができる。もし、販売者がオフラインだけではなくオンラインサイトを介して商品を販売する場合に、文章はオンラインサイトのＵＲＬを含むことができる。
【００４５】
追ってユーザが検索クエリを介して検索する場合に、検索結果として商品とマッチングされた文章を提供することの他に、ＵＲＬを用いて商品を販売する該当オンラインサイトにフォワーディングされるようになる。
【００４６】
これにより、販売者は、より積極的にユーザに商品広告およびショッピングサービスを提供することができる。結局、ステップＳ２０４は、販売者が販売しようとする商品とこの商品の販売先の情報を含む文章とを連携させる過程であると言える。また、販売者は、文章を介して定型的かつ互換可能な状態で商品を管理できるようになる。
【００４７】
商品と文章とをマッチングする方式は、大きく３種類に分類することができる。１つ目は、商品が少なくとも１つであり、マッチングされる文章が１つの場合である。すなわち、ある販売者が販売する商品が少なくとも１つの場合であると言える。
【００４８】
また、２つ目は、商品が１つであり、マッチングされる文章が少なくとも１つの場合である。すなわち、同じ商品に対して販売者が少なくとも１つの場合であると言える。また、３つ目は、上述した２つが混合した形態である。
【００４９】
結局、マッチングする方式を多様化してユーザにより多くの商品ローカル情報を提供して、正確な検索結果を提供することができる。マッチング方式については、図５および図６の具体的な例を用いて説明する。
【００５０】
ステップＳ２０３で、システムが商品原簿からロボットやアルゴリズムなどによって商品を自動で選択し、販売者は状況に適合するように自動選択された商品を補正する例を説明した。このとき、ステップＳ２０４を介して、販売者によって補正された商品と文章とがマッチングされるようになる。
【００５１】
ステップＳ２０５は、ユーザから検索クエリを受信する。このとき、検索クエリは、ユーザが購買したり検索したりしようとする商品に関するクエリであることが好ましいと言える。すなわち、検索クエリは、商品名、業種、会社、商品属性、商品価格、商品販売先またはこれらの組み合わせなどのように、商品と関連があるクエリを含むことができる。例えば、商品名だけが検索クエリとして受信されることもできるし、商品名と販売地域情報とが組み合わされた形態で、特定地域で販売する特定商品に関するクエリが受信されることもできる。
【００５２】
ステップＳ２０６は、検索クエリと関連した商品とマッチングする文章をユーザに検索結果として提供する。ステップＳ２０１〜ステップＳ２０４を介してすでに商品とマッチングしている文章をユーザに検索結果として提供する。言い替えれば、商品と関連した検索クエリに対して、商品とマッチングした文章をユーザに露出することに該当する。また、検索結果として提供される文章は、サービスや商品または広告内容に応じて変更するようになる。
【００５３】
図３は、本発明の一実施形態において、商品ローカル情報を提供する過程を示す図である。
【００５４】
商品ローカル情報提供システム３０１（上述の商品ローカル情報提供システム１０１に相当）は、図１で上述したように、販売者３０２に商品原簿データベース３０４に記録された商品原簿３０５を提供することができる。ここで、販売者３０２は、提供を受けた商品原簿３０５から販売者３０２自身が販売している商品を選択することができる。商品ローカル情報提供システム３０１は、販売者３０２が提供した商品の選択情報を受信することができる。
【００５５】
一例として、所定の選択基準に応じて、商品ローカル情報提供システム３０１がロボットやアルゴリズムなどによって選択した商品の選択情報を販売者３０２に提供することができる。ここで、販売者３０２によって選択情報が、販売者３０２の状況に適合するように補正されるようになる。商品ローカル情報提供システム３０１は、補正された選択情報を販売者３０２から受信することができる。
【００５６】
販売者３０２によって商品原簿３０５から選択されたり補正された選択情報に含まれる商品は、販売者３０２に提供される文章３０７とマッチングされるようになる。図３において、販売者３０２によって商品原簿３０５から選択された商品Ａ、商品Ｂ、商品Ｃを販売者商品３０６と称する。ここで、販売者商品３０６は、販売者３０２が選択して実際に販売している商品に該当するものであると言える。
【００５７】
また、図３では、販売者商品３０６に含まれる商品Ａ、商品Ｂ、商品Ｃそれぞれが１つの文章３０７とマッチングすることを示している。上述したマッチング方式は一例に過ぎず、多様なマッチング方式については、図５および図６を参照しながらより詳細に説明する。
【００５８】
ここで、文章３０７は、販売者３０２が販売する商品の販売店情報、すなわち、商品ローカル情報を含むことができる。このとき、商品ローカル情報は、商品の販売店と関連したものを含むようになるが、販売店名、連絡先、住所、電子メールアドレス、営業時間などがこの例に該当すると言える。商品ローカル情報は上述した例に限定されず、販売店と関連した他の情報を含むこともできる。
【００５９】
商品ローカル情報提供システム３０１は、ユーザ３０３から検索クエリを受信することができる。ここで、検索クエリと関連した販売者商品３０６とマッチングする文章３０７をユーザ３０３に検索結果として提供することができる。ここで、文章３０７は、一般的に販売者商品３０６の販売店情報を含むことができる。
【００６０】
もし、販売者３０２がオンラインサイトを介して販売者商品３０６を販売する場合には、オンラインサイトのＵＲＬ３０８が販売店情報の一種類として文章３０７に含まれるようになる。このような場合に、商品ローカル情報提供システム３０１は、ユーザ３０３に文章３０７とオンラインサイトのＵＲＬ３０８を介してフォワーディングした文章とを共に検索結果として提供することができる。
【００６１】
一例として、販売者３０２がオンラインサイトで販売者商品３０６を販売する場合に、販売者商品３０６の形式と商品原簿３０５に記載した商品形式とが異なる場合がある。したがって、販売者商品３０６と商品原簿３０５とに記載された商品との形式が相互互換されるようにすることができる。
【００６２】
例えば、販売者３０２がオンラインサイトで「キヤノン３０ディー」という形式で記載された販売者商品３０６を販売し、商品原簿３０５には同じ商品に対して「ＣＡＮＯＮ３０Ｄ」と記載されている場合には、相互互換ツールなどを用いて両商品が互いに互換されるようにすることができる。結局、文章３０７とマッチングするものは、販売者３０２が実際に販売する形式と互換する商品原簿に記載された形式である「ＣＡＮＯＮ３０Ｄ」であると言える。
【００６３】
実際に同じ商品であっても、販売者３０２ごとに販売者商品３０６に対する表現形式が異なる場合がある。したがって、実際に販売している形式を定型的かつ一般的に通用することができる商品原簿３０５に記載された形式と互換するようにして、ユーザ３０３に検索結果に対する高い信頼度を付与することができる。
【００６４】
図４は、本発明の一実施形態において、商品原簿データベースに記録された商品原簿の内容を示す図である。
【００６５】
商品原簿は、各商品を特定するためのものであって、商品原簿データベースに商品別に記録されるようになる。各商品別に商品原簿が設定されており、商品識別子を介して区別されるようになる。商品識別子は、商品別に固有の値を有することができる。
【００６６】
図４において、「カメラ１、カメラ２、カメラ３」は、それぞれカメラに対する異なるモデルであると言える。また、同じモデルであるが商品情報が異なるため、互いに区分されたものであるとも言える。このような商品区別の基準は、流通している商品であると言える。また、製品紹介の信頼を高めて互換性を高めるために、一般的に用いられる商品名で設定されるようになる。
【００６７】
商品原簿データベースから商品原簿を呼び出して販売者に提供することができる。ここで、販売者は、商品原簿に記載された商品名と商品情報などを参考して、商品原簿から自分が販売している商品を選択することができる。
【００６８】
商品原簿から販売者によって選択される商品は、１つ以上であると言える。また、選択される商品は、必ず同種である必要はない。販売者が商品を選択するために参考する要素は、図４で表現されたものに制限されず、他の要素を含むこともできる。
【００６９】
商品原簿が大部分の商品とその詳細的なモデルで区分されるようになるため、商品原簿に含まれる商品は多数であると言える。これにより、販売者が選択しようとする商品を探し難い場合がある。したがって、ユーザインターフェースを介して販売者がキーワードを入力して、選択しようとする商品を検索することができる。
【００７０】
販売者は、ユーザインターフェースを介して商品名を入力したり、すでに知っている商品識別子を入力したりすることもできる。また、該当商品の特徴的な商品情報を入力して検索することもできる。検索する方法は上述したものに制限されず、商品を選択することができる様々な要素を介して販売者が検索することができる。
【００７１】
販売者は、商品原簿から選択した商品の選択情報をシステムに提供することができる。このとき、選択情報は、一般的に販売者が選択した商品のリストであると言えるが、商品識別子も含むことができる。結局、販売者が商品原簿から商品を選択すれば、商品ローカル情報提供システムは、選択された商品と各販売者に提供する文章とをマッチングしてユーザに提供することができる。
【００７２】
図５は、本発明の一実施形態において、販売者によって選択された多数の商品と１つの文章との間でマッチングが行われる過程を示す図である。
【００７３】
販売者が商品原簿から「カメラ１、カメラ２、カメラ３」を選択したと仮定する。この場合は、販売者が「カメラ１、カメラ２、カメラ３」すべてを販売するものと見なす。ここで、「カメラ１、カメラ２、カメラ３」それぞれを販売者に提供される文章とマッチングすることができる。すなわち、マッチング方式の１つとして、図２で言及したように、商品が少なくとも１つであり、マッチングされる文章が１つの場合に該当することができる。
【００７４】
また、図５には、選択された商品とマッチングする販売者に対する文章が示されている。ここで、マッチングする対象となる商品はカメラであるため、文章はカメラ販売店に対する情報を含むことができる。すなわち、カメラに対するローカル情報を含むことができる。
【００７５】
文章上端に記載されたように、文章は、該当商品に対する詳細カテゴリを含むことができる。すなわち、「カメラ１、カメラ２、カメラ３」がＤＳＬＲカメラに該当する場合に、文章が含むカテゴリは「ＤＳＬＲ」であり、「電子製品＞光学器機＞デジタルカメラ＞ＤＳＬＲ」のカテゴリ順で設定されるようになる。
【００７６】
図５のように、商品販売仲介サイトの場合には、文章を商品販売店の情報に対する詳細ページであると表現することができる。このとき、詳細ページには、商品の販売店情報として販売先、連絡先、住所、電子メールアドレス、販売方法、オンラインサイトのＵＲＬ、営業時間などが含まれるようになる。このような販売店情報は上述したものに制限されず、他の要素を追加することもできる。
【００７７】
ここで、販売者がオフラインとオンラインで商品を販売する場合には、オフライン販売店の情報の他に、オンライン販売店に該当するオンラインサイトのＵＲＬが文章に含まれるようになる。ここで、もし、ユーザの入力したクエリがカメラ１またはカメラ２またはカメラ３のうちのいずれか１つと関連がある場合には、図５の文章を検索結果として提供することができる。また、オンラインサイトのＵＲＬを介してフォワーディングされた文章に該当するオンラインサイトも共にユーザに提供されるようになる。
【００７８】
このような過程を通じて、オフラインでのみ商品を販売する販売者の立場では、オンライン広告進出が容易となる。また、オフラインとオンラインで同時に商品を販売する販売者の立場では、販売者の商品販売店に対する情報をユーザにより多様な形式で提供することができ、販売店にユーザをより効果的に誘引することができる。すなわち、本発明を介してオン／オフ統合商品インターフェースを構築することができる。
【００７９】
図６は、本発明の一実施形態において、１つの商品と多数の販売者の文章との間でマッチングが行われる過程を示す図である。
【００８０】
図６は、販売者によって選択された商品が「カメラ１」の場合である。ただし、販売者は、１人またはそれ以上であると言える。同じ商品に対して異なる販売者がそれぞれ販売することができるため、販売者別に提供される文章はすべて「カメラ１」とマッチングされるようになる。すなわち、図２で上述したマッチング方式のうち、商品が１つであり、マッチングされる文章が少なくとも１つの場合に該当すると言える。すなわち、同じ商品に対して販売者が少なくとも１つの場合であると言える。
【００８１】
例えば、図６に示すように、「カメラ１」を販売する販売者は、「デジカメナラ」、「カメラランド２１」、「ベストデジカメ」などを含んでおり、各販売者に提供される文章は、各販売者が選択した商品である「カメラ１」とマッチングすることを意味する。すなわち、上述した販売者はすべて「カメラ１」を販売することを知ることができる。各販売店が同じ「カメラ１」を含むことができる。したがって、「カメラ１」は、販売店情報を含む販売者別に提供する文章とマッチングされるようになる。
【００８２】
このような過程を通じて特定の商品を検索したユーザに様々な販売店の情報が提供されるようになり、商品選択の幅を広げることができる効果を与えることができる。また、ユーザの検索結果に対して多くの販売店情報を提供できるようになり、商品選択のエラーも減らすことができ、各販売店間をより容易に比較することもできる。さらに、本発明の一例として、図５のマッチング方式と図６のマッチング方式とを混合した形態を含むこともできる。
【００８３】
図７は、本発明の一実施形態において、商品ローカル情報を提供するシステムを示す図である。
【００８４】
商品ローカル情報を提供するシステム７０１（上述の商品ローカル情報提供システム１０１に相当）は、商品原簿データベース７０４と、商品選択部７０５と、文章マッチング部７０６と、検索クエリ受信部７０７と、検索結果提供部７０８と、商品互換部７０９と、不図示のＣＰＵと、不図示のメモリと、を含むことができる。ここでの不図示のＣＰＵおよび不図示のメモリは、すでに上述したものと同様な機能を有するものであるため、説明は割愛する。
【００８５】
商品原簿データベース７０４は、各商品を特定するための商品原簿を商品別に記録して保持することができる。すなわち、各商品別に商品原簿が設定されており、商品識別子を介して区別することができる。商品識別子は、商品別に固有の値を有することができる。
【００８６】
商品選択部７０５は、商品原簿を販売者７０２に提供し、商品原簿から販売者７０２が選択した商品の選択情報を販売者７０２から受信することができる。
【００８７】
すなわち、商品原簿データベース７０４に記録されて保持された商品原簿を呼び込んで販売者７０２に提供することができる。ここで、販売者７０２は、商品原簿に記載された商品名と商品情報とを参考して、商品原簿から自分が販売している商品を選択することができる。商品原簿から販売者７０２によって選択される商品は、１つ以上であると言える。また、選択される商品は、必ず同種である必要はない。
【００８８】
商品原簿に含まれる商品の数には制限がないため、販売者７０２が選択しようとする商品の選択は容易ではない。ここで、商品選択部７０５は、ユーザインターフェースを介して商品原簿を提供し、販売者７０２がキーワードを入力して選択しようとする商品を検索するようにできる。
【００８９】
商品選択部７０５は、販売者７０２が商品原簿から選択した商品の選択情報を販売者７０２から受信することができる。このとき、選択情報は、一般的に販売者が選択した商品のリストであると言え、商品識別子を含むこともできる。
【００９０】
一例として、商品選択部７０５は、所定の選択基準に応じて選択した商品の選択情報を販売者７０２に提供することができる。また、商品選択部７０５は、販売者７０２によって補正された選択情報を販売者７０２から受信することができる。
【００９１】
このような場合に、内部的に商品が自動選択されるようになり、より迅速に商品を選択する過程を進めることができるが、正確度が低下するという短所がある。このために、販売者７０２が自動選択された商品を自分の状況に適合するように補正することができる機会を付与することで、このような短所を補完できるようになる。
【００９２】
文章マッチング部７０６は、販売者７０２によって選択された商品と販売者７０２に提供される文章とをマッチング（対応付け）することができる。このとき、文章は、販売者７０２によって選択された商品の販売店情報を含むことができる。また、商品の販売店情報は、販売者７０２によって選択された商品がオンラインサイトで販売される場合に、オンラインサイトのＵＲＬを含むことができる。
【００９３】
一例として、商品選択部７０５が所定の選択基準に応じて選択した商品の選択情報を販売者７０２に提供し、販売者７０２によって補正された選択情報を販売者７０２から受信することができる。このような場合に、文章マッチング部７０６は、販売者７０２によって補正された選択情報に該当する商品と文章とをマッチングすることができる。
【００９４】
文章マッチング部７０６が文章をマッチングする方式は、３種類に大別することができる。１番目は、販売者７０２によって選択された商品が少なくとも１つである場合に、商品それぞれを文章とマッチングする方式である。すなわち、このような方式は、販売者７０２が１つの販売店に様々な商品を販売する場合に該当すると言える。
【００９５】
２番目は、少なくとも１つの販売者７０２によって選択された同じ商品と、少なくとも１つの販売者それぞれに提供される文章とをマッチングする方式である。すなわち、このような方式は、１つの商品に対して様々な販売者７０２が販売する場合に該当すると言える。言い替えれば、同じ商品を様々な販売店で販売する場合であると言える。
【００９６】
３番目は、上述した２種類の方式を混合した方式である。このような方式は、複雑な商品販売構造に適用することが適合すると言える。
【００９７】
検索クエリ受信部７０７は、検索クエリをユーザ７０３から受信することができる。このとき、検索クエリは、ユーザ７０３が購買したり検索したりしようとする商品に関するクエリであることが好ましいと言える。すなわち、検索クエリは、商品名、業種、会社、商品属性、商品価格、商品販売先、またはこれらの組み合わせのように、商品と関連があるクエリを含むことができる。
【００９８】
検索結果提供部７０８は、検索クエリと関連した商品とマッチングする文章をユーザ７０３に検索結果として不図示の表示部を介して提供することができる。すなわち、ユーザ７０３は、購買したり検索したりしようとする商品とマッチングする文章に含まれる商品ローカル情報の提供を受けることができる。
【００９９】
特に、販売者７０２がオフライン上でのみ販売する場合よりも、より一層の効果を発揮することができる。具体的に説明すれば、オフライン上でも商品基盤のユーザ７０３と販売者７０２との連携インターフェースを構築し、より効果的な商品検索および商品広告を行うことができる。
【０１００】
この場合に、販売者７０２が検索クエリと関連した商品をオンラインサイトで販売する場合に、オンラインサイトのＵＲＬにフォワーディングした文章をユーザ７０３に検索結果として提供することができる。
【０１０１】
商品互換部７０９は、販売者７０２がオンラインサイトで販売する商品と商品原簿に含まれる商品との間に相互互換がなされるようにできる。ここで、文章マッチング部７０６は、商品原簿に含まれる商品のうち、販売者７０３がオンラインサイトで販売する商品と商品互換部７０９によって互換される商品を文章とマッチングすることができる。
【０１０２】
実際に同じ商品であっても、販売者７０２ごとに商品に対する表現形式が異なる場合がある。したがって、実際に販売する際に使用されている表現形式を、定型的かつ一般的に通用することができる商品原簿に記載された表現形式と互換させるようにし、ユーザ７０３に検索結果に対する高い信頼度を付与することができる。
【０１０３】
なお、本発明に係る商品ローカル情報提供方法は、コンピュータにより具現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。
【０１０４】
以上、本発明を好ましい実施形態に則して説明したが、本発明の技術分野において熟練した当業者にとっては、特許請求の範囲に記載された本発明の技術的思想及びその領域から逸脱しない範囲内で、本発明を多様に修正及び変更させることができることを理解することができるであろう。すなわち、本発明の技術的範囲は、特許請求の範囲に基づいて定められ、発明を実施するための最良の形態により制限されるものではない。
【図面の簡単な説明】
【０１０５】
【図１】本発明の一実施形態において、商品ローカル情報を提供する構造図を示す図である。
【図２】本発明の一実施形態において、商品ローカル情報を提供する方法を示すフローチャートである。
【図３】本発明の一実施形態において、商品ローカル情報を提供する過程を示す図である。
【図４】本発明の一実施形態において、商品原簿データベースに記録された商品原簿を示す図である。
【図５】本発明の一実施形態において、販売者によって選択された多数の商品と１つの文章との間にマッチングする過程を示す図である。
【図６】本発明の一実施形態において、１つの商品と多数の販売者の文章との間にマッチングする過程を示す図である。
【図７】本発明の一実施形態において、商品ローカル情報を提供するシステムを示す図である。
【符号の説明】
【０１０６】
７０１：商品ローカル情報提供システム
７０２：販売者
７０３：ユーザ
７０４：商品原簿データベース
７０５：商品選択部
７０６：文章マッチング部
７０７：検索クエリ受信部
７０８：検索結果提供部
７０９：商品互換部
【図１】
0004856122.tif 000002
【図２】
0004856122.tif 000003
【図３】
0004856122.tif 000004
【図４】
0004856122.tif 000005
【図５】
0004856122.tif 000006
【図６】
0004856122.tif 000007
【図７】
0004856122.tif 000008